(57)【要約】  本発明は電線での火花の発生直後に自動的に動作する電源遮断装置を提供する。本発明の電源遮断装置は、電気機器の接続障害などの異常状態によって電線で発生する電気火花に起因する電磁波を検出することによって送信される制御信号に応じて、漏電遮断器または電子スイッチへの電源を自動的に遮断し、かくして電気火花（炎）によって生じる電気火災などの災害を防止する。本発明によれば、前記電源遮断装置は過負荷または漏電状態で動作する前記漏電遮断器の本来の機能を提供するとともに、前記漏電遮断器は電線で発生する電気火花検出することによって動作するので、電気火花によって引き起こされる電気火災などの災害を効果的に防止することが可能である。【特許請求の範囲】
【請求項１】
電線での火花の発生直後に自動的に動作する電源遮断装置であって、
漏電遮断器または電子スイッチの出力側の電線に接続され、かつ電気火花により発生する電磁波のパルス電流で駆動されて電流を印加するトライアック（スイッチング）回路と、前記トライアック（スイッチング）回路に接続され、それから印加された電流を整流し、前記電流を直流に変換するとともに、電圧降下後に一定電圧を出力する整流平滑回路と、電流が所定の時間連続的に供給される際に、前記整流平滑回路によって印加された電流の流れを遅延させることにより前記漏電遮断器の電源遮断動作のスイッチング手段を動作させる動作遅延回路と、からなる電源遮断装置。
【請求項２】
前記トライアック（スイッチング）回路は、電気火花に起因する電流が、コンデンサと抵抗器が回路保護用抵抗器を介して前記漏電遮断器の出力側の電線に並列接続されている回路に流入すると、前記電磁波のパルス電流で駆動される一次側パルストランスの巻線と、前記一次側パルストランスの巻線に流入する電流がそれに対して誘導される二次側パルストランスの巻線と、前記二次側パルストランスの巻線の出力電流を制御する可変抵抗器と、前記二次側パルストランスの巻線の出力電流でトリガーされるトライアックと、前記トライアックを急激な電流から保護する抵抗器と、からなることを特徴とする請求項１に記載の電源遮断装置。
【請求項３】
前記整流平滑回路は、入力電流を整流するダイオードと、リップルを除去することによって前記ダイオードで整流された電流から交流成分を除去する平滑コンデンサと、前記平滑コンデンサで変換された直流の電圧降下のための抵抗器及びコンデンサと、前記コンデンサの充電が完了すると電流を印加する第１ツェナダイオードと、前記コンデンサの充電電圧が所定の値よりも高いと逆電流を前記コンデンサに印加することによって一定電圧を維持する第２ツェナダイオードと、前記第２ツェナダイオードに流入する電流を制限するとともに、前記一定電圧を調整する抵抗器と、からなることを特徴とする請求項１に記載の電源遮断装置。
【請求項４】
前記動作遅延回路は、印加電流により充電されるコンデンサと、前記コンデンサの充電に必要な時間を制御する可変抵抗器と、前記コンデンサの電圧が所定の値まで増加され、かつエミッタ電圧として印加されるとトリガーされるユニジャンクショントランジスタと、前記ユニジャンクショントランジスタに電流を印加すると電圧を発生する抵抗器と、前記抵抗器に接続され、かつ、そのゲートが前記抵抗器から電流の供給を受けるとトリガーされるサイリスタと、前記サイリスタに電流を印加すると電圧が印加されるダイオードと、前記ダイオードに並列接続されるリレーと、からなることを特徴とする請求項１に記載の電源遮断装置。
【請求項５】
前記トライアック（スイッチング）回路は、前記トライアックをトリガーするコンデンサと、前記コンデンサのサージ電流を制御する抵抗器と、をさらに含むことを特徴とする請求項２に記載の電源遮断装置。
【請求項６】
前記トライアック（スイッチング）回路は、前記漏電遮断器または前記電子スイッチの入力側の電線への電気信号入力のノイズを除去する電磁妨害（ＥＭＩ）フィルタをさらに含むことを特徴とする請求項２に記載の電源遮断装置。
【請求項７】
前記トライアック（スイッチング）回路は、前記漏電遮断器の入力側からの高いサージ電圧入力を吸収することによって前記回路を保護する電圧非直線抵抗体をさらに含むことを特徴とする請求項２に記載の電源遮断装置。
【請求項８】
前記リレーは、巻線とスイッチからなり、
前記スイッチは、前記巻線が励磁されるとオンになることを特徴とする請求項４に記載の電源遮断装置。
【請求項９】
前記動作遅延回路は、前記漏電遮断器の電源遮断動作のスイッチング手段としてＬａ‐ＳＣＲやＬａ‐ＳＣＳなどの半導体無接点スイッチからなることを特徴とする請求項１に記載の電源遮断装置。
【請求項１０】
前記動作遅延回路は、前記スイッチング手段に接続され、かつ電線での電気火花が発生直後に動作する表示ランプまたは警報装置をさらに含むことを特徴とする請求項１に記載の電源遮断装置。
【発明の詳細な説明】
【技術分野】
【０００１】
本発明は、電線での火花の発生直後に自動的に動作する電源遮断装置に関し、特に、電気機器の接続障害などの異常状態によって電線で発生する電気火花に起因する電磁波を検出することによって送信される制御信号に応じて漏電遮断器または電子スイッチへの電源を自動的に遮断して、電気火花（炎）によって生じる電気火災などの災害を防止する電源遮断装置に関する。
【背景技術】
【０００２】
一般に、漏電遮断器は、特定値を超える漏れ電流が検出される場合に、電気回路または電気を使用する機器での漏電を検出する電気配線機器であり、電源を遮断するため、電気ショックに起因する人体の損傷を防止するとともに、漏電による電気火災を防止する。
【０００３】
最も一般的な電気火災は住宅（内装）配線の漏電によって生じることが報告されているが、前記漏電遮断器は漏れ電流の発生時に動作するので、最も一般的な電気火災が漏電であることを前提にすることはできない。
【０００４】
事実、最も一般的な電気火災は、配線回路の接触不良、接点での発熱に起因する絶縁破壊、瞬間的な短絡、または高い接続抵抗による電気火花の発生時に起こる。この場合、前記漏電遮断器は動作しない可能性もあり、可燃物が電気火花の近傍にある場合には災害を引き起こす可能性もある。
【０００５】
しかしながら、配線回路の接点接触不良を検査することは困難であり、経験のある専門家でさえも物理的検査によるかまたはテスターを用いて断線や短絡のみを調べることができるにすぎない。
【０００６】
特に、電気配管が合成樹脂（ＰＶＣ）からなる場合、絶縁測定時に電気配管内での電線相互間の絶縁不良は明らかでなく、電気配線の接続不良または接触不良を機能障害の発生前に点検確認することはできない。
【０００７】
また、電気を使用する電気機器の接続不良または接触不良によって生じる機能障害は、産業分野で相当な損失または災害を引き起こす危険もあるが、同問題を検出することは非常に困難である。
【０００８】
なお、従来の漏電遮断器は、漏れ電流の連続的な発生時または定格電流を超える電流の発生時に動作するので、低電圧の住宅配線での接点接触不良、瞬間的な短絡、または配線相互間のトラッキング現象に起因する電気火災を防止することは不可能である。
【０００９】
ここで、上記接触不良、瞬間的な短絡、及び配線相互間のトラッキング現象を説明し、それらに共通する特徴を検討する。
【００１０】
まず、接触不良が発生すると、その配線の絶縁材料は変形し、その接触面は接触不良によって発生する熱のために酸化する。
【００１１】
それゆえに、その接続抵抗がますます増加し、その結果、接続熱は繰り返し増加する。その結果、前記絶縁材料は徐々に炭化または変形して、配線相互間の短絡故障を招き、接続熱によって生じるフラッシュオーバー（閃絡）は隣接する可燃物を着火させ、そのために火災が発生する。
【００１２】
第２に、非常に強力な電気火花／アークは絶縁被覆部の焼損に起因する短絡または動作時の誤りに起因する瞬間的な短絡によって生成され、そのために火災が発生する。
【００１３】
特に、電気火花／アークの実効電流は低いことから、前記漏電遮断器の動作が遅れたり、または動作しない可能性もある。
【００１４】
最後に、絶縁障害に起因して配線相互間のトラッキング現象によって生成される電気火花／アークとフラッシュオーバー（閃絡）とは、隣接する可燃物を着火させて火災を発生させる。
【００１５】
配線システムで発生する電気火災は、過熱、電気火花／アーク、及びフラッシュオーバー（閃絡）を伴うために、非常に瞬時に発達する。
【００１６】
その電流の流れの特徴を検討すると、非常に大きい電流が単位時間内で急激に変化するので、その上りの角度と下りの角度は直角に近く、かかる電流は数度の不規則インパルスで流れ、その実効電流は非常に低い。
【００１７】
前記配線回路内の接点の接触が不十分な場合、負荷側に供給される電圧には不規則インパルスがあり、そのため、その電流は低い実効電流を有する不規則インパルスで流れる。それゆえに、熱遮断器または電磁遮断器が遮断動作を行うことは困難である。
【００１８】
つまり、低い実効電流を有する電気火花／アークが発生すると、前記漏電遮断器の遮断動作は行われない。
【００１９】
上記のように、従来の漏電遮断器は過負荷または漏電状態で動作するので、接続障害などの異常状態によって電線で発生する電気火花／アーク（炎）に起因する災害を防止することは不可能である。
【００２０】
それゆえに、接続障害などの異常状態によって電線で発生する電気火花に起因する災害を防止することが必要であるが、従来の漏電遮断器及び前記電子スイッチではかかる災害を防止できない。
【発明の概要】
【発明が解決しようとする課題】
【００２１】
本発明は、従来技術に伴う上記の問題点を解決するためになされたものであり、本発明の目的は、電気機器の接続障害などの異常状態によって電線で発生する電気火花に起因する電磁波のパルス電流を検出することによって送信される制御信号に応じて漏電遮断器または電子スイッチへの電源を自動的に遮断して、過負荷または漏電状態で動作する前記漏電遮断器の本来の機能を提供するとともに、電線で発生する電気火花によって引き起こされる電気火災などの災害を効果的に防止する電源遮断装置を提供することである。
【課題を解決するための手段】
【００２２】
上記目的を達成するため本発明は、電線での火花の発生直後に自動的に動作する電源遮断装置を提供するものであり、前記電源遮断装置は、漏電遮断器または電子スイッチの出力側の電線に接続され、かつ電気火花により発生する電磁波のパルス電流で駆動されて電流を印加するトライアック（スイッチング）回路と、前記トライアック（スイッチング）回路に接続され、それから印加された電流を整流し、前記電流を直流に変換するとともに、電圧降下後に一定電圧を出力する整流平滑回路と、電流が所定の時間連続的に供給される際に、前記整流平滑回路によって印加された電流の流れを遅延させることにより前記漏電遮断器の電源遮断動作のスイッチング手段を動作させる動作遅延回路と、からなる。
【００２３】
前記トライアック（スイッチング）回路は、電気火花に起因する電流が、コンデンサと抵抗器が回路保護用抵抗器を介して前記漏電遮断器の出力側の電線に並列接続されている回路に流入すると、前記電磁波のパルス電流で駆動される一次側パルストランスの巻線と、前記一次側パルストランスの巻線に流入する電流がそれに対して誘導される二次側パルストランスの巻線と、前記二次側パルストランスの巻線の出力電流を制御する可変抵抗器と、前記二次側パルストランスの巻線の出力電流でトリガーされるトライアックと、前記トライアックを急激な電流から保護する抵抗器と、からなる。
【００２４】
また、前記整流平滑回路は、入力電流を整流するダイオードと、リップルを除去することによって前記ダイオードで整流された電流から交流成分を除去する平滑コンデンサと、前記平滑コンデンサで変換された直流の電圧降下のための抵抗器及びコンデンサと、前記コンデンサの充電が完了すると電流を印加する第１ツェナダイオードと、前記コンデンサの充電電圧が所定の値よりも高いと逆電流を前記コンデンサに印加することによって一定電圧を維持する第２ツェナダイオードと、前記第２ツェナダイオードに流入する電流を制限するとともに、前記一定電圧を調整する抵抗器と、からなる。
【００２５】
さらに、前記動作遅延回路は、印加電流により充電されるコンデンサと、前記コンデンサの充電に必要な時間を制御する可変抵抗器と、前記コンデンサの電圧が所定の値まで増加され、かつエミッタ電圧として印加されるとトリガーされるユニジャンクショントランジスタと、前記ユニジャンクショントランジスタに電流を印加すると電圧を発生する抵抗器と、前記抵抗器に接続され、かつ、そのゲートが前記抵抗器から電流の供給を受けるとトリガーされるサイリスタと、前記サイリスタに電流を印加すると電圧が印加されるダイオードと、前記ダイオードに並列接続されるリレーと、からなる。
【００２６】
好ましくは、前記トライアック（スイッチング）回路は、前記トライアックをトリガーするコンデンサと前記コンデンサのサージ電流を制御する抵抗器とをさらに含む。
【００２７】
より好ましくは、前記トライアック（スイッチング）回路は、前記漏電遮断器または前記電子スイッチの入力側の電線への電気信号入力のノイズを除去する電磁妨害（ＥＭＩ）フィルタをさらに含む。
【００２８】
より好ましくは、前記トライアック（スイッチング）回路は、前記漏電遮断器の入力側からの高いサージ電圧入力を吸収することによって前記回路を保護する電圧非直線抵抗体をさらに含む。
【００２９】
また、前記リレーは巻線とスイッチからなり、前記スイッチは前記巻線が励磁されるとオンになることを特徴とする。
【００３０】
さらに、前記動作遅延回路は、前記漏電遮断器の電源遮断動作のスイッチング手段としてＬａ‐ＳＣＲやＬａ‐ＳＣＳなどの半導体無接点スイッチからなる。
【００３１】
好適には、前記動作遅延回路は、前記スイッチング手段に接続され、かつ電線での電気火花が発生直後に動作する表示ランプまたは警報装置をさらに含む。
【発明の効果】
【００３２】
本発明に係る電源遮断装置によれば、前記漏電遮断器は、電気機器の接続障害などの異常状態によって電線で生じる電気火花により発生する電磁波のパルス電流を検出することによって送信される制御信号に応じて自動的に動作して、電気火花（炎）によって生じる電気火災などの災害を防止する。
【００３３】
特に、本発明によれば、前記電源遮断装置は過負荷または漏電状態で動作する前記漏電遮断器の本来の機能を提供するとともに、前記漏電遮断器は電線で発生する電気火花を検出することによって動作するので、電気火花によって引き起こされる電気火災などの災害を効果的に防止することが可能である。
【図面の簡単な説明】
【００３４】
【図１】図１は本発明に係る電源遮断装置の回路図である。
【図２】図２は同装置を構成するトライアック（スイッチング）回路を示す回路図である。
【図３】図３は同装置を構成する整流平滑回路を示す回路図である。
【図４】図４は同装置を構成する動作遅延回路を示す回路図である。
【発明を実施するための形態】
【００３５】
以下、本発明に係る好適な実施形態を添付図面を参照して説明する。前記好適な実施形態は、当業者であれば本発明を十分に理解できるように提供されているが、さまざまな形態に変更することができ、本発明の範囲は前記好適な実施形態に限定されるものではない。
【００３６】
図１は本発明に係る電源遮断装置の回路図であり、図２〜図４は本発明に係る電源遮断装置を構成するそれぞれの回路を示す回路図であって、図２はトライアック（スイッチング）回路を示すものであり、図３は整流平滑回路を示すものであり、図４は動作遅延回路を示すものである。
【００３７】
本発明では、外部からの電気信号入力によって過負荷または漏電状態で自動的に動作して電力を遮断する市販の漏電遮断器（ＥＬＢ）を使用することもできる。また、本発明は、前記漏電遮断器に挿入されて前記漏電遮断器の本来の機能を提供することから、電気火花によって引き起こされる電気火災などの災害を防止する電源遮断装置を提供する。
【００３８】
一般に、前記漏電遮断器には前記漏電遮断器が正常動作可能な状態にあるかどうかを判定するテストボタンスイッチが含まれているので、前記テストボタンスイッチを押下するだけで、それが正常に動作しているかどうかを容易に判定することが可能であり、前記テストボタンスイッチの接点をオンにすると、前記漏電遮断器に搭載された遮断回路が短絡し、そのため電力が遮断される。
【００３９】
本発明に係る電源遮断装置は前記漏電遮断器の出力側の電線に接続されて、電線で発生する電気火花を遮断する。
【００４０】
本発明に係る電源遮断装置には、電気火花により発生する電磁波のパルス電流でトリガーされ、かつ電流を印加するトライアック（スイッチング）回路（図２に示す）と、前記トライアック（スイッチング）回路に接続されて、それから印加された電流を整流し、前記電流をリップルを除去することによって完全な直流に変換し、さらに一定電圧を出力する整流平滑回路（図３に示す）と、電気火花の連続発生時にのみ前記整流平滑回路を通過する電流の流れを遅延させることでリレー（ＮＲ）をオンにする動作遅延回路（図４に示す）と、が含まれる。
【００４１】
以下に本発明の電源遮断装置の各回路を説明する。
【００４２】
まず、前記トライアック（スイッチング）回路をより詳細に説明する。
【００４３】
電気火花が前記漏電遮断器電線の出力側で発生する場合、電磁波は電線の出力側に沿って流れ、前記トライアック（スイッチング）回路は前記電磁波のパルス電流で駆動される。
【００４４】
好適な実施形態では、前記トライアック（スイッチング）回路の入力側は、パルス電流供給回路のためのコンデンサＣｓと巻線Ｌｓ、回路保護用抵抗器Ｒ１、抵抗器Ｒ１１及びＲ１２、及びサージ電流を制御するセラミックコンデンサＣ１及びＣ２を含む電磁妨害（ＥＭＩ）フィルタを介して前記漏電遮断器の出力側の電線に接続され、前記トライアック（スイッチング）回路には、前記セラミックコンデンサＣ１及びＣ２と前記抵抗器Ｒ１１及びＲ１２とに並列接続されるフェライトコイルに巻装された一次側パルストランスの巻線Ｌ１と、前記一次側パルストランスの巻線Ｌ１に流入する電流がそれに対して誘導される、前記一次側パルストランスの巻線Ｌ１とともに前記フェライトコイルに巻装された二次側パルストランスの巻線Ｌ２と、前記二次側パルストランスの巻線Ｌ２の出力電流を制御する可変抵抗器Ｒ３と、前記二次側パルストランスの巻線Ｌ２の出力電流でトリガーされるトライアックＱ１と、が含まれる。
【００４５】
また、前記トライアック（スイッチング）回路には、前記漏電遮断器の負荷からの高いサージ電圧入力を吸収することによって前記回路を保護する電圧非直線抵抗体（ＺＮＲ）と、前記トライアックＱ１を急激な電流（瞬間的なピーク電流）から保護する抵抗器Ｒ２と、前記トライアックＱ１がカソードから発生した電圧でトリガーされることを可能にするフィルムコンデンサＣ３と、前記トライアックＱ１のトリガー時にゲート電流の欠如のために前記トリガーが作動されていない際の前記トライアックＱ１のアノードと、前記フィルムコンデンサＣ３のサージ電流を制御する抵抗器Ｒ４と、も含まれる。
【００４６】
前記漏電遮断器の出力側の電線、すなわち前記漏電遮断器の負荷側から印加された前記入力電源の電流が、前記回路保護用抵抗器Ｒ１、前記セラミックコンデンサＣ１及びＣ２、前記抵抗器Ｒ１１及びＲ１２を介して上記の本発明のトライアック（スイッチング）回路の一次側パルストランスの巻線Ｌ１に流入すると、前記一次側パルストランスの巻線Ｌ１は励磁されて、前記二次側パルストランスの巻線Ｌ２が相互誘導される。その結果、前記出力電流は、前記二次側パルストランスの巻線Ｌ２に接続される前記可変抵抗器Ｒ３によって調整される。
【００４７】
この時点では、前記一次側パルストランスの巻線Ｌ１は、前記漏電遮断器の負荷からの電気火花入力のために前記電磁波のパルス電流のピーク波長のみによって駆動され、前記可変抵抗器Ｒ３の抵抗値に応じた電流出力が前記トライアックＱ１のゲートに流入して前記トライアックＱ１をトリガーし、そのため前記回路保護用抵抗器Ｒ１と前記トライアック保護抵抗器Ｒ２を通過する電流は前記トライアックＱ１に流入する。
【００４８】
ここで、前記ＥＭＩフィルタ（ノイズフィルタ）のコンデンサＣｓは、電気信号入力の火花によって発生する電流の周波数よりも高い周波数のノイズの前記漏電遮断器の出力側の電線または電子スイッチへの伝達を低減する。その結果として、その外部電線での電気火花電流に起因する機能障害を防止するとともに、その内部火花電流の流出を防止することが可能である。
【００４９】
上記のように動作する（トリガーする）前記トライアックＱ１を通過する前記電磁波のパルス電流は前記整流平滑回路に印加される。前記整流平滑回路には、前記トライアックＱ１を通過する電流を整流するダイオードＤ１及びＤ２と、交流成分を前記ダイオードＤ１及びＤ２で整流された電流から除去する平滑コンデンサＣ４と、電圧降下抵抗器Ｒ５と、フィルタとして機能する電解コンデンサＣ５と、前記動作遅延回路に流入する電流を制御する第１ツェナダイオードＤ４と、第２ツェナダイオードＤ３と、一定電圧を前記動作遅延回路に供給する抵抗器Ｒ６と、が含まれる。
【００５０】
前記印加された交流のマイナス成分は、前記ダイオードＤ１及びＤ２によって除去され、リップルに整流される。前記リップルは、前記ダイオードＤ１及びＤ２間に並列接続された前記平滑コンデンサＣ４によってその交流成分が除去されると安定した直流に変換され、大きな電圧降下が前記電圧降下抵抗器Ｒ５の高い抵抗によって生じ、さらに、結果として得られる電流は前記電解コンデンサＣ５内に充電される。この場合、前記電解コンデンサＣ５に接続された第１ツェナダイオードＤ４は、前記電解コンデンサＣ５の充電が完了するまで前記動作遅延回路に流入する電流を制御する。
【００５１】
前記第２ツェナダイオードＤ３と前記抵抗器Ｒ６とは、前記電解コンデンサＣ５の充電電圧が所定の値よりも高いときに、逆電流を前記電解コンデンサＣ５に印加することによって一定電圧を前記動作遅延回路に供給する。この時点で、一定電圧を調整する前記抵抗器Ｒ６は、前記印加電流によって容易に損傷する可能性もある前記第２ツェナダイオードＤ３に流入する電流を制限して同ダイオードを保護し、しかも、前記動作遅延回路に供給される電圧を調整する。
【００５２】
前記動作遅延回路には、前記第１ツェナダイオードＤ４を通過する電流が流れる抵抗器Ｒ７及び可変抵抗器Ｒ８と、その充電時間が前記抵抗器Ｒ７と前記可変抵抗器Ｒ８とによって制御される電解コンデンサＣ６と、前記電解コンデンサＣ６の電圧でトリガーされるユニジャンクショントランジスタＱ２と、前記ユニジャンクショントランジスタＱ２のベースＢ２及びＢ１に接続される抵抗器Ｒ９及びＲ１０と、そのゲートとカソードが前記抵抗器Ｒ１０の両端に接続されるサイリスタＱ３と、前記サイリスタＱ３のアノードに接続されるダイオードＤ５と、前記ダイオードＤ５に並列接続されるリレーＮＲと、が含まれる。
【００５３】
前記リレーＮＲには、巻線Ｌ３と、前記ダイオードＤ５に並列接続されるスイッチＳＷとが含まれる。
【００５４】
上記の構成を有する前記動作遅延回路を駆動できる一定電圧が、前記第１ツェナダイオードＤ４のアノードと前記整流平滑回路のダイオードＤ２の両端とで維持されると、前記第１ツェナダイオードＤ４を通過する電流は、前記抵抗器Ｒ７と、前記第１ツェナダイオードＤ４のアノードに接続された前記可変抵抗器Ｒ８とに印加され、次いで、前記電解コンデンサＣ６内にゆっくり充電される。次いで、前記電解コンデンサＣ６の電圧が徐々に増加して前記ユニジャンクショントランジスタＱ２をトリガーするエミッタを駆動できる電圧に到達すると、前記ユニジャンクショントランジスタＱ２は動作し、そのため、電流が前記ユニジャンクショントランジスタＱ２の両ベースＢ２及びＢ１内に流入する。
【００５５】
この時点で、前記抵抗器Ｒ７と前記可変抵抗器Ｒ８とは前記電解コンデンサＣ６の充電速度を制御して、前記電解コンデンサＣ６の必要な充電時間を調整する。つまり、前記可変抵抗器Ｒ８の抵抗値が調整されて、前記電解コンデンサＣ６の充電速度を制御するため、前記ユニジャンクショントランジスタＱ２の必要な駆動時間を遅延させる。その結果、前記ユニジャンクショントランジスタＱ２は、前記電気火花により発生した電磁波のパルス電流が入力信号として印加された数秒後に駆動される。これは、前記スイッチＳＷのオンオフ時などに発生する瞬間的な火花電流に起因する機能障害を防止するためである。
【００５６】
前記ユニジャンクショントランジスタＱ２の駆動後、前記電流が前記第１ツェナダイオードＤ４に接続された前記抵抗器Ｒ９を介して前記ユニジャンクショントランジスタＱ２のベースＢ２からベースＢ１に印加されるため、電圧が前記サイリスタＱ３のゲート電流を制御する前記抵抗器Ｒ１０の両端で発生する。その結果、電流が前記抵抗器Ｒ１０の両端に接続される前記サイリスタＱ３のゲートとカソードとの間を流れて、前記サイリスタＱ３をトリガーする。前記トリガーされたサイリスタＱ３では、前記電流は前記アノードから前記カソードに流れるため、前記リレーＮＲを駆動できる電圧は前記ダイオードの両端に印加される。前記電圧は、前記サイリスタＱ３の瞬間的な電圧降下を前記第１ツェナダイオードＤ４と前記ダイオードＤ２の両端での電圧から減算することによって得られた電圧に向けられる。
【００５７】
もとより、前記動作遅延回路を別の構成を有する半導体回路で代替することもできる。
【００５８】
前記ダイオードＤ５の電圧により前記リレーＮＲの巻線Ｌ３が励磁されるため、前記スイッチＳＷはオンになり、その結果、前記リレーＮＲに接続された前記漏電遮断器のテストボタンスイッチは閉じるため、前記漏電遮断器はオフになる。
【００５９】
前記動作遅延回路のリレーＮＲは前記漏電遮断器の電源遮断動作のスイッチング手段であり、前記リレーＮＲをＬａ‐ＳＣＲやＬａ‐ＳＣＳなどの半導体無接点スイッチで代替することもできる。
【００６０】
過負荷遮断器の場合、電磁ソレノイド装置が遮断ボタンを押下するように設けられ、前記回路のリレーで制御される。
【００６１】
このように、本発明の電源遮断装置は、電線で発生した電気火花により生成される大波長を有する電磁波のパルス電流によってのみ駆動される。また、電気火花により生成される電流波長の周波数よりも高い周波数のノイズは、前記トライアック（スイッチング）回路のパルス電流供給回路（超低周波数信号のスルー回路、すなわち衝撃波）のセラミックコンデンサＣ１及びＣ２と抵抗器Ｒ１１及びＲ１２によって低減されるので、そのため、前記一次側パルストランスの巻線Ｌ１は駆動されず、前記トライアック（スイッチング）回路はトリガーされない。
【００６２】
なお、前記整流平滑回路からの電圧出力が所定値に到達しないと前記第１ツェナダイオードＤ４は前記動作遅延回路に電流を印加しないので、電圧が動作電圧に到達しないと前記電流は遮断され、そのため機能障害を防止する。
【００６３】
断続的な電気火花の場合、前記動作遅延回路は前記リレーＮＲのスイッチＳＷをオンにしない。つまり、前記動作遅延回路は、電気火花が所定の時間連続発生する時にのみ前記リレーＮＲのスイッチＳＷをオンにして前記漏電遮断器をオフにするため、断続的な火花に起因する機能障害を防止する。
【００６４】
言い換えれば、前記動作遅延回路は、連続的な電気火花による一定電圧がそれに対して所定の時間十分に印加されると、前記漏電遮断器のテストボタンスイッチに接続された前記リレーＮＲをオンにして、前記漏電遮断器のテストボタンスイッチをオンにするため、前記漏電遮断器の電力を遮断する。
【００６５】
なお、本発明の回路を用いて、電線で電気火花が発生直後に動作する表示ランプまたは警報装置を構成することが可能である。
【００６６】
また、本発明の回路は、電線で電気火花が発生した直後に自動的に電源を遮断するように、コンセントなどの電気配線機器に挿入することが可能である。
【００６７】
本発明を、その好適な実施形態を参照して詳細に説明したが、特許請求の範囲及びそれらの等価物においてその範囲を定義した本発明の原理及び真の趣旨から逸脱することなく、これらの実施形態において変更を行い得ることは当業者であれば理解されよう。
【図１】
2010541518.tif 000002
【図２】
2010541518.tif 000003
【図３】
2010541518.tif 000004
【図４】
2010541518.tif 000005
【国際調査報告】
2010541518.tif 000006
2010541518.tif 000007
2010541518.tif 000008